(57)【要約】【課題】携帯端末の利用者の居場所をより正確に検出する。【解決手段】掲示媒体２は、サーバへの接続先情報が表示された接続先情報表示領域１１と、携帯端末のタッチパネルに対応した大きさを有し、予め設定された導電パターンで導電性部材が配置され、タッチパネルを近接させたときに導電パターンが入力されたとタッチパネルに認識させるようになっているパターン領域１２と、告知情報が表示される告知情報表示領域１３と、を有する。携帯端末から接続先情報表示領域１１に表示された接続先情報にアクセスし、サーバと携帯端末との間で認証が成功し、且つパターン領域１２にタッチパネルを近接することにより携帯端末に入力された導電パターンが予め設定した導電パターンであるとき、携帯端末が掲示媒体の近傍に存在すると判断する。【選択図】図２
2020004188.tif 000002
【特許請求の範囲】
【請求項１】
店舗用の掲示媒体であって、
サーバへの接続先情報が表示された接続先情報表示領域と、
携帯端末のタッチパネルに対応した大きさを有し、予め設定された導電パターンで導電性部材が配置され、前記タッチパネルを近接させたときに前記導電パターンが入力されたと前記タッチパネルに認識させるようになっているパターン領域と、
告知情報が表示される告知情報表示領域と、
を備えることを特徴とするポイント付与システム用の掲示媒体。
【請求項２】
前記接続先情報表示領域と前記パターン領域とは近接して配置され、
前記接続先情報表示領域を基準として前記パターン領域に対する動作の実行を促す誘導情報が表示されていることを特徴とする請求項１に記載のポイント付与システム用の掲示媒体。
【請求項３】
ポスター用紙からなり、
前記パターン領域は前記ポスター用紙とは別にカード状に形成され、当該カード状のパターン領域が前記ポスター用紙に固定されていることを特徴とする請求項１または請求項２に記載のポイント付与システム用の掲示媒体。
【発明の詳細な説明】
【技術分野】
【０００１】
本発明は、掲示媒体の近傍に携帯端末が存在することを検出するようにしたポイント付与システム用の掲示媒体に関する。
【背景技術】
【０００２】
従来、来店者に対して、電子的な来店ポイントを付与するようにしたシステムとして、例えば、店側で、当該店舗を一意に特定可能な文字列或いは二次元コード等の付与対象特定情報を予め決定して店頭に掲示しておき、利用者が携帯端末において所定のアプリケーションを実行させ、カメラを用いた撮影機能を起動して、店舗に掲示された付与対象特定情報としての二次元コード等を読み取るようにしたシステムが提案されている。この携帯端末で読み取られた二次元コード等は、付与対象特定情報に変換され、搭載されているＧＰＳ機能を用いて検出した携帯端末の現在位置と、携帯端末を特定する情報と共に特典情報管理装置に送信する。そして、特典情報管理装置では、携帯端末の現在位置から店舗の位置を推測し、この店舗が予め登録されている特典付与対象店舗であると判定されるときに、携帯端末に対してポイントを付与するようにしている（例えば、特許文献１参照。）。
【０００３】
また、スマートホンやタブレット端末等の携帯端末に情報を入力する方法として、非接触式ＩＣカードや、タッチパネルのような静電容量型入力パッドに情報を入力するためのペンや導電性の印鑑（スタンプ）などの技術が開示されている。導電性印鑑（スタンプ）として、所定のパターンで導電部と絶縁部とを形成し、携帯端末のタッチパネルにこのパターンを接触させることにより押印を行ったと認識するシステム（例えば、特許文献２〜５）も提案されている。
【先行技術文献】
【特許文献】
【０００４】
【特許文献１】特開２０１５−９５０６８号公報
【特許文献２】特開２０１６−３５７２８号公報
【特許文献３】特開２０１５−２２２４８３号公報
【特許文献４】特開２０１２−２５６２４６号公報
【特許文献５】特開２０１６−２１８９８５号公報
【特許文献６】特開２０１５−２１９７２８号公報
【特許文献７】特開２０１１−１３４２９８号公報
【発明の概要】
【発明が解決しようとする課題】
【０００５】
ところで、ＧＰＳによる位置情報は、二次元の位置情報であるため、例えば、建物の異なる階にいたとしても位置情報は同等となる。そのため、例えば店舗側に掲示されている二次元コードを予め保存しておき、特典付与対象店舗がある階とは異なる階から、二次元コードを変換した付与対象特定情報を、携帯端末の現在位置等と共に送信すると、特典情報管理装置では、利用者が特典付与対象店舗で二次元コード等を撮影して送信したと誤判断し、実際には利用者が特典付与対象店舗に入店していないにも関わらず、ポイントを付与してしまう可能性がある。
【０００６】
そこで、この発明は、上記従来の未解決の問題に着目してなされたものであり、より確実に、携帯端末の利用者の居場所を検出することの可能なポイント付与システム用の掲示媒体を提供することを目的としている。
【課題を解決するための手段】
【０００７】
本発明の一態様によれば、店舗用の掲示媒体であって、サーバへの接続先情報が表示された接続先情報表示領域と、携帯端末のタッチパネルに対応した大きさを有し、予め設定された導電パターンで導電性部材が配置され、前記タッチパネルを近接させたときに前記導電パターンが入力されたと前記タッチパネルに認識させるようになっているパターン領域と、告知情報が表示される告知情報表示領域と、を備えるポイント付与システム用の掲示媒体が提供される。
【発明の効果】
【０００８】
本発明の一態様によれば、携帯端末の利用者が掲示媒体の近傍に存在することをより高精度に検出することができる。
【図面の簡単な説明】
【０００９】
【図１】本発明に係るポイント付与システム用の掲示媒体を用いた掲示システムの一例を示す構成図である。
【図２】掲示媒体の一例を示す概略構成図である。
【図３】タッチ領域の一例を示す概略構成図である。
【図４】サーバの一例を示す概略構成図である。
【図５】サーバの処理手順の一例を示すフローチャートである。
【図６】携帯端末の年齢確認用の画面の一例である。
【図７】携帯端末の表示画面の一例である。
【図８】携帯端末のタッチ用画面の一例である。
【図９】携帯端末の表示画面の一例である。
【発明を実施するための形態】
【００１０】
以下、図面を参照して本発明の実施形態について説明する。
なお、以下の詳細な説明では、本発明の実施形態の完全な理解を提供するように多くの特定の具体的な構成について記載されている。しかしながら、このような特定の具体的な構成に限定されることなく他の実施態様が実施できることは明らかである。また、以下の実施形態は、特許請求の範囲に係る発明を限定するものではない。また、実施形態の中で説明されている特徴の組み合わせの全てが発明の解決手段に必須であるとは限らない。
図１は、本発明の一実施形態に係るポイント付与システム用の掲示媒体を用いた掲示システムの一例を示す構成図であり、携帯端末が掲示媒体の近傍に存在することを検出するようにしたものである。ここでは、店舗に掲示された掲示媒体の近傍に携帯端末が存在するときにこの携帯端末の利用者が店舗に来店したとみなしてスタンプ（ポイントに対応）を付与するようにした掲示システムについて説明する。
【００１１】
掲示システム１は、掲示媒体２と、スマートホン、携帯電話、タブレット端末等で構成されタッチパネルを備えた携帯端末３と、スタンプを付与するスタンプ付与プログラムを実行するサーバ４と、を備える。
掲示媒体２は、店舗内等、この店舗を利用したとみなすことのできる位置に掲示される。掲示媒体２は、利用者が店舗利用時に認知することのできる掲示媒体であれば特に限定されるものではなく、ポスター、テーブルに配置された卓上ＰＯＰ、テーブルテント等であってもよい。
【００１２】
掲示媒体２は、図２に示すように、接続先情報表示領域１１と、パターン領域１２と、告知情報表示領域１３及び１４を備える。図２に示すように、接続先情報表示領域１１とパターン領域１２とは左右方向に隣接して配置され、告知情報表示領域１３及び１４は、接続先情報表示領域１１及びパターン領域１２を挟んで上下に配置される。なお、告知情報表示領域１３及び１４は、一つの領域としてもよく、三つ以上の領域としてもよい。また、各領域の配置は図２に示す配置に限るものではなく、任意の配置とすることができる。接続先情報表示領域１１とパターン領域１２は操作性の観点から比較的近い位置、例えば、左右、上下、斜め等に近接して配置されていることが好ましい。
接続先情報表示領域１１には、図２に示すように、サーバ４が提供するスタンプ付与プログラムのアドレス情報等といったスタンプ付与プログラムへのアクセス先を指定する接続先情報が、例えば、二次元コード、ＵＲＬ情報、文字列、等として表示される。図２では二次元コードが表示されている。
【００１３】
パターン領域１２には、導電パターンを含むタッチ領域１２ａが形成される。このタッチ領域１２ａは、静電マルチタッチ技術を応用した認証領域である。タッチ領域１２ａは、例えば、タッチ領域１２ａの外周を縁取ること、或いは、タッチ領域１２ａを、他の領域の表示色とは異ならせて表示すること、等、他の領域とは表示形態を異ならせることによって、導電パターンが形成された領域であることを明示するようになっている。なお、タッチ領域１２ａのタッチパネルがタッチされる面と掲示媒体２の表面２１１との間の厚さがある程度の厚さとなるように、タッチ領域１２ａを、掲示媒体２の表面２１１から突出して形成するようにしてもよい。このようにすることによって、タッチ領域１２ａであることを明示することができると共に、タッチパネルがタッチされる面と掲示媒体２の表面２１１とが同等程度の高さである場合に比較して、タッチパネルをタッチしやすくすることができる。
【００１４】
タッチ領域１２ａは、図３に示すように、紙材料等からなる掲示媒体２の表面２１１に、略矩形状の導電パターン部２２０が形成されている。本実施形態における導電パターン部２２０は、特許文献７に記載された導電パターン部を利用したものである。
図３に示す導電パターン部２２０は、例えば、特許文献６に記載されているように、タッチ領域１２ａに形成された導電領域２２１の一端側の被検出領域２２１ａに形成されている。導電領域２２１の他端側には、広域導電部２２２が形成されている。導電領域２２１には、被検出領域２２１ａに、複数（図３では５個）の被検出部２２３が形成され、さらに、被検出部２２３と広域導電部２２２との間、及び被検出部２２３同士の間を接続する導線部２２４が形成されている。広域導電部２２２、被検出部２２３、及び導線部２２４は、銅箔、アルミニウム箔等の金属箔といった導電性部材で形成されている。
【００１５】
被検出部２２３は、タッチパネルによって検出可能な静電容量を保持するために必要な面積を有し、例えば円盤状の箔片として形成される。被検出部２２３の形状は同一である必要はなく、異なる大きさであったり、例えば円形と四角形とを混在させる等、異なる形状であってもよい。被検出領域２２１ａ内の、被検出部２２３と被検出部２２３が形成されていない絶縁部とにより、導電パターンが形成される。
被検出部２２３は、導線部２２４を介して電気的に結合した広域導電部２２２との間で、タッチパネルによる検出に必要な電荷の受給を行うようになっている。
なお、導電パターン部２２０は、図３に示す構成に限るものではなく、要は、導電パターンをタッチパネルによって検出することができれば、どのような構成であってもよい。
【００１６】
そして、携帯端末３のタッチパネルを導電パターン部２２０の被検出領域２２１ａに近接させること、またはタッチすることによって、タッチパネルは、五ヶ所の被検出部２２３により形成される導電パターンが入力されたと認識するようになっている。なお、タッチ領域１２ａはこの部分のみ後付けできるようにカード形状に構成してもよい。つまり、カード状の部材にタッチ領域１２ａを形成し、このカード状の部材を、掲示媒体２の表面に固定するようにしてもよい。
また、タッチ領域１２ａには、少なくとも導電パターン部２２０の領域を覆うように、遮蔽シール（図示せず）が接着又は粘着等によって密着して設けられ、遮蔽シールで覆うことで被検出部２２３の配置パターンを認識できないようになっている。なお、コーティングや着色、印刷等を施すことによって、被検出部２２３の配置パターンを外観から認識しにくくしてもよい。
【００１７】
導電パターン部２２０つまり被検出領域２２１ａは、スマートホン、携帯電話、タブレット端末等のタッチパネル画面と対応した大きさに形成され、携帯端末のタッチパネルにより導電パターン部２２０に形成された導電パターンを読み取ることができる大きさを有する。
また、接続先情報表示領域１１は、図２に示すように、接続先情報表示領域１１を基準としてパターン領域１２を指し示す矢印形状に形成され、例えば矢印形状の輪郭を縁取ること、或いは、矢印形状の表示色を接続先情報表示領域１１の周囲とは異ならせること等、周囲とは異なる表示形態で表示される。これによって、矢印形状の接続先情報表示領域１１によって、パターン領域１２を指し示している。
【００１８】
また、接続先情報表示領域１１には、接続先情報表示領域１１に対する処理を行うことを促す情報（誘導情報）（例えば、ＳＴＥＰ１等）、また、二次元コードを読み取り、キャンペーンサイトにアクセスするように促す情報が表示される。同様に、パターン領域１２には、接続先情報表示領域１１に対する処理が終了した後にパターン領域１２に対する処理を行うことを促す情報（例えば、ＳＴＥＰ２等）、また、導電パターン部２２０にタッチパネルをタッチするように促す情報が表示される。
【００１９】
携帯端末３は、例えば、タッチパネルと、サーバ４と無線通信を行うための通信処理部と、接続先情報表示領域１１に表示される接続先情報を読み取るためのカメラ等の読み取り処理部と、サーバ４から通知された照合用の導電パターン等の情報を格納するための記憶部と、通信処理部を介してサーバ４と通信を行う制御部と、を備える。携帯端末３は、読み取り処理部によって読み取った接続先情報で指定されるアドレスにアクセスすると共に、携帯端末３の利用者の入力操作によって入力された認証情報を含む各種入力情報をサーバ４に送信する。また、携帯端末３は、サーバ４での認証が成功したとき、サーバ４から照合用の導電パターン情報を含む処理プログラム等を入力して所定の記憶領域に格納する。そして、処理プログラムにしたがって、導電パターン部２２０をタッチすることによりタッチパネルに入力された導電パターンとサーバ４から通知された照合用の導電パターンとを照合し、その照合結果をサーバ４に送信する。また、携帯端末３は、サーバ４から通知される画面情報をタッチパネルに表示する。
【００２０】
例えば、導電パターン部２２０に形成された導電パターンが図３に示すように不均一に配置された五個の被検出部２２３からなるパターンである場合、照合用の導電パターンとして、図３に示すように配置された五個の被検出部２２３からなるパターンが通知される。この導電パターン部２２０をタッチすることによりタッチパネルに入力された導電パターンは、照合用の導電パターンと一致するため、照合結果は一致と判断する。一方、例えば、利用者がキャンペーン対象の掲示媒体２とは異なる媒体に形成された導電パターン等をタッチパネルによりタッチした場合、入力された導電パターンは、照合用の導電パターンと一致しない。そのため、照合結果は不一致と判断される。
【００２１】
サーバ４は、図４に示すように、携帯端末３と無線通信を行う通信処理部２１と、携帯端末３の認証等を行う制御部２２と、携帯端末３から通知される照合結果が有効であるときこの携帯端末３に対してスタンプを付与すると共に、スタンプ管理等を行うスタンプ管理処理部２３と、携帯端末３毎のスタンプ数等、所定の情報を記憶する記憶装置２４とを備える。
【００２２】
図５は、サーバ４の処理手順の一例を示すフローチャートである。
サーバ４は、携帯端末３からアクセスされると、アクセス元の携帯端末３との間で初期処理を行う（ステップＳ１）。例えば、酒類に関するキャンペーン等、年齢制限を行う必要があるキャンペーンの場合には、まず、キャンペーン対象年齢であるか否かを問い合わせ、キャンペーン対象年齢外であることが通知されたときには閲覧不可であることを通知して処理を終了する。キャンペーン対象年齢であることが通知されたときには、初期設定画面情報を送信する。例えば、サーバ４に未登録である場合には、ニックネーム、生年月日、性別、パスワード、メールアドレス等の登録情報の入力を促す情報、また利用規約等を送信する。登録済みである場合には、メールアドレス、パスワード等の入力を促す情報を送信する。
【００２３】
次いで、サーバ４は、初期設定画面情報に対する応答として入力される各種初期設定情報を読み込み、携帯端末３が有効であるか否かを判断する（ステップＳ２）。例えば、携帯端末３の利用者がサーバ４に未登録である場合、酒類に関するキャンペーン等、年齢制限を行う必要があるキャンペーンの場合には、適性年齢であるか等を判断し、適性年齢であり各種情報が正しく設定されていれば有効であると判断して、新規登録を行い、この携帯端末３の利用者の情報を記憶装置２４に格納する。
【００２４】
また、既に登録済みである場合には、入力されたパスワード等の情報が、サーバ４に登録されている情報と一致するか等に基づき、携帯端末３の利用者がサーバ４に登録済みであるかを判断する。そして、有効でないと判断される場合には、例えば、再度の入力を促す情報を携帯端末３に通知し、それでも有効と判断されない場合には、携帯端末３に無効である旨を通知し処理を終了する。
一方、携帯端末３の利用者が有効であると判断されるときには、ステップＳ３に移行し、携帯端末３のタッチパネルを導電パターン部２２０にタッチするように促すタッチ用画面情報を携帯端末３に送信する。
【００２５】
次いで、携帯端末３からタッチパネルに入力された導電パターン情報の照合結果を入力する。そして、照合結果が一致しない場合には処理を終了し、一致するときにはステップＳ５に移行する（ステップＳ４）。
ステップＳ５ではスタンプ付与処理を行い、携帯端末３の利用者に対して所定数のスタンプを付与し、現在の保有スタンプ数を記憶装置２４に更新記憶すると共に、保有スタンプ数情報を携帯端末３に送信する。
また、保有スタンプ数が、特典と交換可能なスタンプ数以上となったときには、特典と交換するかどうかを問い合わせる情報を携帯端末３に送信し、交換する特典を指定する情報等が通知されたとき、交換する特典に応じたスタンプ数だけ保有スタンプ数を減ずる等の処理を行うと共に、例えば交換する特典が景品である場合には景品の発送先等の情報を携帯端末３から入力する等の処理を行う。そして、処理を終了する。
【００２６】
次に、上記実施形態の動作を説明する。
ここでは、ビールの販促のためのキャンペーンを行う場合について説明する。
まず、掲示媒体２を、店舗内等、店舗を利用したとみなすことの可能な位置に掲示する。
来店した利用者は、掲示媒体２において、まず、接続先情報表示領域１１の二次元コードを携帯端末３のカメラで撮影し、二次元コードで表される接続先情報で指定されるアドレスにアクセスする。
【００２７】
サーバ４では、携帯端末３からアクセスされると、初期処理を行う（ステップＳ１）。これにより、例えば図６に示すようにキャンペーン対象年齢であるか否かを問い合わせる画面が携帯端末３に表示され、利用者がキャンペーン対象年齢であることを携帯端末３から入力すると、図７に示すように、未登録であるか登録済みであるかを問い合わせる画面が表示される。
そして、利用者が未登録を選択すると、新規参加登録画面が表示され、画面表示にしたがって利用者が必要事項を入力することにより登録が行われる。一方、利用者が登録済みを選択すると、たとえば、パスワードやメールアドレスを問い合わせる画面が表示され、画面表示にしたがって利用者が必要事項を入力することにより、サーバ４において、認証が行われる。
【００２８】
そして、新規登録が完了したとき、又は認証が成功したとき（ステップＳ２）、例えば図８に示すように、タッチパネルのどの部分を、掲示媒体２のどの部分にタッチさせればよいか等の情報が記載されたタッチ用画面が携帯端末３に表示される（ステップＳ３）。
利用者がタッチ用画面の指定された領域を導電パターン部２２０にタッチさせ、タッチパネルに入力された導電パターンが予め設定されたパターンであることが確認されると（ステップＳ４）、この利用者に対してスタンプが付与される（ステップＳ５）。また、例えば、タッチ用画面において例えば、スタンプカードを表示させる操作を行うと、例えば図９に示すように、この利用者が現在保有しているスタンプ数を表すスタンプカード画面が携帯端末３に表示される。
利用者はスタンプカードを参照することにより、現在保有するスタンプ数を認識することができる。
【００２９】
そして、例えば、スタンプ数が特典としてのプレゼント（景品）と交換可能な数である場合には、利用者がプレゼント交換用の画面を表示させる操作（図示せず）を行うことにより、プレゼントページが表示される。
このように、サーバ４では、認証が成功した後、予め設定したパターンの導電パターン情報を入力したときにのみ、スタンプを付与している。
また、導電パターン部２２０においてどのような導電パターンが形成されているかは、導電パターン部２２０の外観からは認識することはできない。つまり、利用者がタッチパネルを操作することによって導電パターン部２２０に形成された導電パターンを入力することは困難である。
【００３０】
そのため、所定のパターンと同一の導電パターンが入力された場合には、実際に導電パターン部２２０をタッチパネルでタッチすることにより得られた導電パターン情報であるとみなすことができ、すなわち、利用者は導電パターン部２２０の近傍、具体的には導電パターン部２２０をタッチすることの可能な位置に存在するとみなすことができる。
つまり、利用者は導電パターン部２２０が形成された掲示媒体２の近傍に存在するとみなすことができるため、従来のＧＰＳの位置情報を用いて利用者が店舗内に存在するか否かを判断する場合に比較してより高精度に、利用者が店舗内に存在するか否かを判断することができる。
【００３１】
そして、導電パターン情報に基づき利用者が掲示媒体２の近傍に存在するか否かを判断した判断結果に基づき、スタンプを付与することによって、実際には掲示媒体２の近傍に存在しない利用者、つまり、実際にはこの掲示媒体２が掲示されている店舗に来店していない利用者に対して、誤ってスタンプを付与することを回避することができる。
また、導電パターン部２２０に形成する導電パターンは任意の形状に形成することができる。つまり、例えば、テンキーに対応する領域に被検出部２２３を形成することも可能であり、また、導電パターン部２２０の範囲内において任意の形状の図形や描画等で導電パターンを形成することができる。そのため、利用者がタッチパネルを操作することによって入力することの困難な形状の導電パターンを形成することによって、利用者のタッチパネルでの操作により、所定の導電パターンが入力されることをより確実に回避することができる。
【００３２】
なお、タッチ領域１２ａにおいて、比較的厚みのある被検出部２２３を形成することによって、導線部２２４及び広域導電部２２２を省略することができる。
また、タッチ領域１２ａをカード形状に構成し、タッチ領域１２ａを掲示媒体２の表面に固定するようにした場合、このタッチ領域１２ａに形成された導電パターンを取得すれば掲示媒体２の近傍に存在しなくとも、導電パターン部２２０に形成された導電パターンと同一の導電パターン情報をサーバ４に送信することができる。そのため、掲示媒体２の表面に固定されたカード形状のタッチ領域１２ａが掲示媒体２本体から剥ぎ取られる可能性もある。これを回避するため、例えば、カード形状のタッチ領域１２ａを掲示媒体２の裏側に接着し、盗難防止を図るようにしてもよい。
【００３３】
つまり、導電パターンは、導電性部材からなるため、必ずしもタッチパネルと接触しなくともタッチパネルに入力されたと認識させることができる。したがって、掲示媒体２の裏側にタッチ領域１２ａを固定した場合でも、掲示媒体２の表側にタッチ領域１２ａを固定した場合と同等の作用効果を得ることができる。
また、例えば、掲示媒体２の表側と裏側との両方にカード形状に形成されたタッチ領域１２ａを固定し、表側のタッチ領域１２ａと裏側のタッチ領域１２ａとに形成された導電パターンの両方からなるパターンが、サーバ４で保持する所定の導電パターンとなるように構成してもよい。
【００３４】
また、タッチパネルを導電パターンにタッチさせること、或いは、利用者がタッチパネルを操作すること等によっても導電パターンを入力することができる。そのため、例えば、所定のパターンとは異なる導電パターン情報が連続して所定回数（例えば、３回など）入力されたときには、利用者は掲示媒体２の導電パターン部２２０をタッチしていない可能性があるとみなして、照合用の導電パターンと同一の導電パターン情報が入力されたとしても、所定期間（例えば、１日、半日等）は、入力された導電パターンは無効と判断するようにしてもよい。
【００３５】
また、上記実施形態において、各掲示媒体２の導電パターン部２２０に形成される導電パターンは、全ての掲示媒体２において共通としてもよく、掲示される店舗ごとに異なるパターンとしてもよく、複数の掲示媒体２毎に異なるパターンとしてもよい。
また、導電パターン部２２０に形成される導電パターンを店舗ごとに異なるパターンとし、異なる店舗を巡り、各店舗に配置されたスタンプを集めるようにしたスタンプラリーを行う際に、スタンプラリー用の台紙に印を押すスタンプの代りに、店舗ごとに異なる導電パターンが形成された導電パターン部２２０を有する掲示媒体２を掲示するようにしてもよい。
【００３６】
また、上記実施形態においては、タッチパネルに入力された導電パターンが、照合用のパターンと一致するか否かの判断を携帯端末３側で行う場合について説明したがこれに限るものではない。例えば、タッチ用画面において導電パターンが入力されたときに、入力された導電パターンをサーバ４側に送信し、サーバ４側で照合用の導電パターンとの照合を行うようにしてもよい。
また、上記実施形態においては、スタンプ数の管理をサーバ４のスタンプ管理処理部２３において行う場合について説明したがこれに限るものではなく、携帯端末３側で行うようにしてもよい。また、携帯端末３の認証や、導電パターンの照合等を含むスタンプを付与するための一連の処理は、ブラウザを用いて実行するようにしてもよく、またアプリケーションプログラムを用いて実行するようにしてもよい。
【００３７】
なお、本発明の範囲は、図示され記載された例示的な実施形態に限定されるものではなく、本発明が目的とするものと均等な効果をもたらす全ての実施形態をも含む。さらに、本発明の範囲は、全ての開示されたそれぞれの特徴のうち特定の特徴のあらゆる所望する組み合わせによって画され得る。
【符号の説明】
【００３８】
１  掲示システム
２  掲示媒体
３  携帯端末
４  サーバ
１１  接続先情報表示領域
１２  パターン領域
１３、１４  告知情報表示領域
【図１】
2020004188.tif 000003
【図２】
2020004188.tif 000004
【図３】
2020004188.tif 000005
【図４】
2020004188.tif 000006
【図５】
2020004188.tif 000007
【図６】
2020004188.tif 000008
【図７】
2020004188.tif 000009
【図８】
2020004188.tif 000010
【図９】
2020004188.tif 000011